(57)【特許請求の範囲】
【請求項１】
液晶パネルと、前記液晶パネルの裏面に配置された導光板と、前記導光板の一端側に予め定められた間隔毎に配置され、前記導光板の端面へ向けて前記液晶パネルを照明するための光を照射する複数の発光素子と、を備え、前記導光板を介して前記液晶パネルの照明を行う液晶表示装置であって、
前記発光素子の配置方向に対して垂直方向に液晶パネルを分割して複数の画面を表示する機能を有し、
前記複数の発光素子のうち、前記分割される各画面の境界部の両側の各境界部の最も近くに位置する発光素子は、他の部位に配置された各発光素子よりも指向性が狭くなっていることを特徴とする液晶表示装置。
【請求項２】
前記複数の発光素子の間には、それぞれ前記各発光素子の間から前記導光板の端面側へ突出するガイドが設けられており、
前記境界部に位置する前記ガイドの突出長は、他の部位のガイドよりも長くなっていることを特徴とする請求項１に記載の液晶表示装置。
【請求項３】
液晶パネルと、前記液晶パネルの裏面に配置された導光板と、前記導光板の一端側に予め定められた間隔毎に配置され、前記導光板の端面へ向けて前記液晶パネルを照明するための光を照射する複数の発光素子と、を備え、前記導光板を介して前記液晶パネルの照明を行う液晶表示装置であって、
前記発光素子の配置方向に対して垂直方向に液晶パネルを分割して複数の画面を表示する機能を有し、
前記複数の発光素子の間には、それぞれ前記各発光素子の間から前記導光板の端面側へ突出するガイドが設けられており、
前記分割される各画面の境界部に位置する前記ガイドの突出長は、他の部位のガイドよりも長くなっていることを特徴とする液晶表示装置。
【請求項４】
前記複数の発光素子のうち、前記境界部の両側の各境界部の最も近くに位置する発光素子の輝度と、他の部位に配置された各発光素子の輝度が異なるように、前記境界部の両側の各境界部の最も近くに位置する発光素子と他の部位に配置された各発光素子に流れる各電流を別々に制御する電流制御手段を備えたことを特徴とする請求項１ないし３のいずれか１つに記載の液晶表示装置。
【請求項５】
前記分割される各画面の輝度が異なるように前記発光素子に流れる電流を制御するようになっていることを特徴とする請求項１ないし４のいずれか１つに記載の液晶表示装置。
【発明の詳細な説明】
【技術分野】
【０００１】
本発明は、液晶パネルの裏側に配置された導光板の一端側に配置された複数の発光素子から、導光板の端面へ向けて液晶パネルを照明するための光を照射させて液晶パネルの照明を行う液晶表示装置に関する。
【背景技術】
【０００２】
近年、テレビ、携帯端末、ナビゲーション装置等の表示装置として、液晶表示装置が広く用いられている。
【０００３】
このような液晶表示装置として、ＡＶ機器より入力される画像信号の分布状態を検出し、この画像信号の分布状態に応じて画像色調補正信号を演算し、この画像色調補正信号に対応したバックライト輝度調整信号を求め、このバックライト輝度調整信号によって液晶パネルのバックライトの輝度調整を行うようにしたものがある（例えば、特許文献１参照）。
【０００４】
この特許文献１に記載の発明には、例えば、ナビゲーション装置の表示装置として用いられ、表示画面を２分割して片側を地図画面等とし、他側を施設案内表示画面等として表示を行う際に、その画面分割の状態と各分割画面に表示している情報の種類を検出し、その信号から液晶パネルにとって適切な色調の画像を表示するための画像色調補正信号を演算し、この画像色調補正信号により各画面において適切な色調の画像となるように色調補正を行うと共に、その色調補正に応じてバックライトの輝度を適切に設定することが記載されている（段落番号「００２６」〜「００２８」）。
【特許文献１】特開２００６−１４５８３６号公報
【発明の開示】
【発明が解決しようとする課題】
【０００５】
しかしながら、特許文献１に記載の装置は、バックライトにより液晶パネル全体を均一に照明する構成となっているため、液晶パネルを分割して複数の画面を表示する場合、各画面の境界部がぼやけて見えてしまい視認性が良くないといった問題がある。
【０００６】
本発明は上記問題に鑑みたもので、液晶パネルを分割して複数の画面を表示する際の視認性の向上を図ることを目的とする。
【課題を解決するための手段】
【０００７】
上記目的を達成するため、請求項１に記載の発明は、液晶パネルと、液晶パネルの裏面に配置された導光板と、導光板の一端側に予め定められた間隔毎に配置され、導光板の端面へ向けて液晶パネルを照明するための光を照射する複数の発光素子と、を備え、導光板を介して液晶パネルの照明を行う液晶表示装置であって、発光素子の配置方向に対して垂直方向に液晶パネルを分割して複数の画面を表示する機能を有し、複数の発光素子のうち、分割される各画面の境界部の両側の各境界部の最も近くに位置する発光素子は、他の部位に配置された各発光素子よりも指向性が狭くなっていることを特徴としている。
【０００８】
このような構成では、複数の発光素子のうち、分割される各画面の境界部の両側の各境界部の最も近くに位置する発光素子は、他の部位に配置された各発光素子よりも指向性が狭くなっているので、液晶パネルを分割して複数の画面を表示する場合、境界部の両側に位置する発光素子の照射光が境界部を超えて別の画面側へ入り込む量が減少し、境界部のぼやけが低減され、視認性の向上を図ることができる。
【００１１】
また、請求項２に記載の発明は、複数の発光素子の間には、それぞれ各発光素子の間から導光板の端面側へ突出するガイドが設けられており、境界部に位置するガイドの突出長は、他の部位のガイドよりも長くなっていることを特徴としている。
【００１２】
このような構成では、境界部に位置するガイドの突出長は、他の部位のガイドよりも長くなっているので、境界部の両側の各境界部の最も近くに位置する発光素子の照明光は、他の部位に配置された各発光素子の照明光と比較して導光板内を直線的に進行する。したがって、液晶パネルを分割して複数の画面を表示する場合、更に、境界部の両側の各境界部の最も近くに位置する発光素子の照射光が境界部を超えて別の画面側へ入り込む量が減少し、より境界部のぼやけが低減され、より視認性の向上を図ることができる。
【００１５】
また、請求項３に記載の発明は、液晶パネルと、液晶パネルの裏面に配置された導光板と、導光板の一端側に予め定められた間隔毎に配置され、導光板の端面へ向けて液晶パネルを照明するための光を照射する複数の発光素子と、を備え、導光板を介して液晶パネルの照明を行う液晶表示装置であって、発光素子の配置方向に対して垂直方向に液晶パネルを分割して複数の画面を表示する機能を有し、複数の発光素子の間には、それぞれ各発光素子の間から導光板の端面側へ突出するガイドが設けられており、分割される各画面の境界部に位置するガイドの突出長は、他の部位のガイドよりも長くなっていることを特徴としている。
【００１６】
このような構成では、分割される各画面の境界部に位置するガイドの突出長は、他の部位のガイドよりも長くなっているので、境界部の両側の各境界部の最も近くに位置する発光素子の照明光は、他の部位に配置された各発光素子の照明光と比較して導光板内を直線的に進行する。したがって、液晶パネルを分割して複数の画面を表示する場合、境界部の両側の各境界部の最も近くに位置する発光素子の照射光が境界部を超えて別の画面側へ入り込む量が減少し、境界部のぼやけが低減され、視認性の向上を図ることができる。
【００１７】
また、請求項４に記載の発明は、複数の発光素子のうち、境界部の両側の各境界部の最も近くに位置する発光素子の輝度と、他の部位に配置された各発光素子の輝度が異なるように、境界部の両側の各境界部の最も近くに位置する発光素子と他の部位に配置された各発光素子に流れる各電流を別々に制御する電流制御手段を備えたことを特徴としている。
【００１８】
このような構成では、複数の発光素子のうち、境界部の両側の各境界部の最も近くに位置する発光素子の輝度と、他の部位に配置された各発光素子の輝度が異なるように、境界部の両側の各境界部の最も近くに位置する発光素子と他の部位に配置された各発光素子に流れる各電流が別々に制御されるので、境界部の両側の各境界部の最も近くに位置する発光素子に流れる電流を適切な値に制御することにより、境界部のぼやけを低減し、より視認性の向上を図ることが可能である。
【００１９】
また、請求項５に記載の発明は、分割される各画面の輝度が異なるように発光素子に流れる電流を制御するようになっていることを特徴としている。
【００２０】
このように、分割される各画面の輝度が異なるように発光素子に流れる電流を制御して、分割される各画面の輝度を異ならせることができる。
【発明を実施するための最良の形態】
【００２１】
本発明の一実施形態に係る液晶表示装置の構成を図１に示す。（ａ）は、液晶表示装置を正面から見た図、（ｂ）は、（ａ）中のＡ−Ａ線に沿った概略断面図である。本実施形態における液晶表示装置は、ナビゲーション装置の制御部（図示せず）より入力される映像信号に応じて各種映像を表示する表示装置として構成されている。また、本液晶表示装置は、液晶パネル２０全体に１つの画面を表示する１画面表示機能と図１（ａ）に示す境界線Ｂに沿って液晶パネル２０を左右に分割して２つの画面を表示する２画面表示機能を有している。また、液晶パネル２０の前面には、接触面に対するタッチ操作および接触位置を検出するタッチスイッチ（図示せず）が設けられている。
【００２２】
本液晶表示装置は、ケース１０、液晶パネル２０、導光板３０、バックライト４０、プリント基板４１、ガイド４２を備えている。
【００２３】
ケース１０は、液晶パネル２０、導光板３０、バックライト４０、プリント基板４１、ガイド４２等を格納するためのもので、樹脂等により構成されている。
【００２４】
液晶パネル２０は、電圧を印加することによって液晶分子の向きを変え、光の透過率を増減させて映像の表示を行うものであり、裏面に配置されたバックライト４０による照明を利用して映像の表示を行う。
【００２５】
導光板３０は、液晶パネル２０と同程度の大きさのアクリル板により構成されている。導光板３０は、液晶パネル２０の裏面に配置され、導光板３０の一端側（図１中、上側）から入射されるバックライト４０の照明光を液晶パネル２０の裏面全体へ照射する。
【００２６】
図１（ａ）中のＣ−Ｃ線に沿った概略断面を図２に示す。バックライト４０は、プリント基板４１に搭載された複数のＬＥＤ４０ａ、４０ｂによって構成されている。
【００２７】
ＬＥＤ４０ａ、４０ｂは、プリント基板４１に予め定められた間隔毎に配置され、導光板３０の一端（図２中、上端）の端面３０ａへ向けて液晶パネル２０を照明するための照明光を照射する。
【００２８】
バックライト４０を構成するＬＥＤ４０ａ、４０ｂのうち、境界部（境界線）Ｂの両側の各境界部Ｂの最も近くに位置するＬＥＤ４０ｂは、他の部位に配置されるＬＥＤ４０ａよりも指向性の狭いものが用いられている。これは、２画面表示時に、ＬＥＤ４０ｂの照明光が境界部Ｂを超えて別の画面側へ入り込む量を減少させるためである。このようにＬＥＤ４０ｂの指向性をＬＥＤ４０ａよりも低下させて、境界部Ｂのぼやけを低減するようにしている。なお、ＬＥＤ４０ａについては、液晶パネル２０を均一に照明するため、ある程度指向性の広がりのあるものが用いられている。
【００２９】
また、バックライト４０を構成するＬＥＤ４０ａ、４０ｂの各間には、各ＬＥＤ４０ａ、４０ｂによる照明光を導光板３０の端面３０ａ側へ導くためのガイド４２が設けられている。これらのガイド４２は、ＬＥＤ４０ａ、４０ｂが搭載されたプリント基板４１から導光板３０の端面３０ａ側へ突出するように設けられている。
【００３０】
これらのガイド４２のうち、境界部Ｂに位置するガイド４２ｂの突出長は、他の部位に設けられたガイド４２ａよりも長くなっている。これも、２画面表示時に、ＬＥＤ４０ｂの照明光が境界部Ｂを超えて別の画面側へ入り込む量を低減するためである。このように、境界部Ｂに配置されるガイド４２ｂの長さをガイド４２ａよりも長くすることにより、境界部Ｂのぼやけを低減するようにしている。
【００３１】
図３に、導光板３０の端面３０ａを部分的に拡大した概略図を示す。なお、この図において、ガイド４２ａ、４２ｂは省略されている。
【００３２】
図に示すように、導光板３０の端面３０ａには、ＬＥＤ４０ａ、４０ｂの配置に対応するように断面がＶ字形状のＶ溝パターン３０ａ、３０ｂが形成されている。これらのＶ溝パターン３０ａ、３０ｂを形成することで、ＬＥＤ４０ａ、４０ｂからの照明光に広がりを持たせるようにしている。
【００３３】
本実施形態において、境界部Ｂの両側の各境界部Ｂの最も近くに形成されたＶ溝パターン３０ｂのピッチは、他の部位に形成されたＶ溝パターン３０ａのピッチよりもピッチ幅が狭くなっている。これも、２画面表示時に、ＬＥＤ４０ｂの照明光が境界部Ｂを超えて別の画面側へ入り込む量を低減するためである。このように、境界部Ｂの両側に配置されるＬＥＤ４０ｂの各位置に対応して形成されたＶ溝パターン３０ｂのピッチ幅を他のＶ溝パターン３０ａよりも狭くすることにより境界部Ｂのぼやけを低減するようにしている。
【００３４】
本液晶表示装置は、ＬＥＤ４０ａ、４０ｂの点灯駆動を行う駆動回路を備えている。図４に、この駆動回路の構成を示す。
【００３５】
本駆動回路は、ＣＰＵ５０、ＬＥＤドライバ６０、７０、８０、抵抗８１を備えている。
【００３６】
ＣＰＵ５０は、ＲＡＭ、ＲＯＭ等を有し、ＲＯＭに記憶されたプログラムに従って各種処理を実施する。ＣＰＵ５０の処理には、２画面表示時に、各画面の輝度を異ならせてバックライト４０を制御したり、２画面表示時に、ユーザの操作に応じて境界部のバックライト４０の輝度を調整したりする処理がある。
【００３７】
ＬＥＤドライバ６０の出力端子ＯＵＴ１〜４には、それぞれ直列接続された４つのＬＥＤ４０ａが接続されている。これらのＬＥＤ４０ａは、液晶パネル２０の左側半分を照明するためのＬＥＤである。ＬＥＤドライバ６０は、ＣＰＵ５０より入力される信号に応じて液晶パネル２０の左側半分を照明する各ＬＥＤ４０ａに流れる電流をＰＷＭ制御する。
【００３８】
また、ＬＥＤドライバ７０の出力端子ＯＵＴ１〜４には、それぞれ直列接続された４つのＬＥＤ４０ａが接続されている。これらのＬＥＤ４０ａは、液晶パネル２０の右側半分を照明するためのＬＥＤである。ＬＥＤドライバ７０は、ＣＰＵ５０より入力される信号に応じて液晶パネル２０の右側半分を照明する各ＬＥＤ４０ａに流れる電流をＰＷＭ制御する。
【００３９】
このように、液晶パネル２０の左側半分を照明するためのＬＥＤに流れる電流を駆動するＬＥＤドライバ６０と、液晶パネル２０の右側半分を照明するためのＬＥＤに流れる電流を駆動するＬＥＤドライバ７０を別々に設けることにより、液晶パネル２０の左側半分を照明するためのＬＥＤ４０ａに流れる電流Ａと右側半分を照明するためのＬＥＤ４０ａに流れる電流Ｂとを異ならせ、液晶パネル２０の左側半分と右半分の輝度を異ならせて液晶パネル２０の照明を行うことが可能となっている。
【００４０】
ＬＥＤドライバ８０の出力端子ＯＵＴ１には、抵抗８１および２つのＬＥＤ４０ｂが直列に接続されている。抵抗８１は、直列接続された２つのＬＥＤ４０ｂに流れる電流を制限するための抵抗である。ＬＥＤドライバ８０は、ＣＰＵ５０より入力される信号に応じて液晶パネル２０の境界部Ｂの両側に配置されるＬＥＤ４０ｂに流れる電流をＰＷＭ制御する。
【００４１】
このように、液晶パネル２０の境界部Ｂの両側に配置されるＬＥＤ４０ｂに流れる電流ＣをＰＷＭ制御するＬＥＤドライバ８０を設けることにより、液晶パネル２０の境界部Ｂの輝度が適切な輝度となるように調整可能となっている。
【００４２】
次に、図５に従って、ＣＰＵ５０の処理について説明する。運転者の操作により車両のイグニッションスイッチがオンすると、ナビゲーション装置とともに本液晶表示装置は動作状態となる。このとき、ナビゲーション装置の制御部から本液晶表示装置に１画面表示を指示する信号が入力され、本液晶表示装置は、液晶パネル２０に１画面表示するようになっている。また、このとき、ＣＰＵ５０は、液晶パネル２０の左側半分を照明するＬＥＤ４０ａと右側半分を照明するＬＥＤ４０ｂに、それぞれ電流が等しく流れるようにＬＥＤドライバ６０、７０をＰＷＭ制御するようになっている。このように、ナビゲーション装置および本液晶表示装置が動作状態になると、ＣＰＵ５０は、図５に示す処理を周期的に実施する。
【００４３】
まず、１画面表示から２画面表示への切り替え指示の有無を判定する（Ｓ１００）。具体的には、ナビゲーション装置の制御部から入力される信号に基づいて１画面表示から２画面表示への切り替え指示があるか否かを判定する。
【００４４】
ここで、２画面表示への切り替え指示がない場合、Ｓ１００の判定はＮＯとなり、Ｓ１００の判定を繰り返す。
【００４５】
また、ナビゲーション装置の制御部から２画面表示への切り替え指示が入力されると、Ｓ１００の判定はＹＥＳとなり、次に、ＬＥＤドライバ６０、７０、８０にＰＷＭ制御を指示する（Ｓ１０２）。具体的には、ナビゲーション装置の制御部からの指示に基づいて液晶パネル２０の左右の各画面の輝度および境界部の輝度が予め定められた輝度設定値となるようにＬＥＤドライバ６０、７０、８０にＰＷＭ制御を指示する信号を出力する。
【００４６】
例えば、左側半分の輝度設定値が低い場合には、左側半分の輝度が低くなるようにＬＥＤドライバ６０にＰＷＭ制御を指示する信号を出力し、右側半分の輝度設定値が高い場合には、右側半分の輝度が高くなるようにＬＥＤドライバ７０にＰＷＭ制御を指示する信号を出力する。更に、境界部Ｂの両側に配置されるＬＥＤ４０ｂの輝度が適切な輝度となるように、ＬＥＤドライバ８０にＰＷＭ制御を指示する信号を出力する。なお、ＬＥＤ４０ｂの輝度が適切な輝度となるように、実験等により予めＬＥＤドライバ８０に流れる電流値の最適値が定められており、ＬＥＤドライバ８０に流れる電流値の最適値となるようにＬＥＤドライバ８０にＰＷＭ制御を指示する信号を出力する。
【００４７】
このように、境界部Ｂの両側に配置されるＬＥＤ４０ｂの輝度が適切な輝度となるように、ＬＥＤドライバ８０にＰＷＭ制御を指示する信号を出力することで、境界部Ｂが暗すぎたり明るすぎたりすることをなくし、また、境界部Ｂのぼやけを低減し、視認性の向上を図ることが可能である。
【００４８】
次に、液晶パネル２０に左右の各画面の明暗を切り替えるための明暗切り替えスイッチを表示させる（Ｓ１０４）。
【００４９】
図６（ａ）に、明暗切り替えスイッチの表示例を示す。この図には、液晶パネル２０の左側半分の輝度が低く設定され、右側半分の輝度が高く設定され、液晶パネル２０の左側半分が暗く、右側半分が明るくなっている例が示されている。そして、左右の画面を跨ぐように明暗切り替えスイッチＳ１が表示されている。ユーザは、この明暗切り替えスイッチＳ１を操作することにより、液晶パネル２０の左右の各画面の輝度を入れ替えることが可能となっている。
【００５０】
次に、明暗切り替えスイッチＳ１の表示部がタッチ操作されたか否かに基づいて明暗切り替えスイッチＳ１がオン（ＯＮ）したか否かを判定する（Ｓ１０６）。
【００５１】
ここで、ユーザにより明暗切り替えスイッチＳ１の表示部がタッチ操作されると、Ｓ１０６の判定はＹＥＳとなり、左右の輝度設定値を入れ替える（Ｓ１０８）。具体的には、液晶パネル２０の左右の各画面の輝度が入れ替わるようにＬＥＤドライバ６０、７０にＰＷＭ制御を指示する信号を出力し、Ｓ１１０へ進む。
【００５２】
なお、ユーザにより明暗切り替えスイッチＳ１の表示部がタッチ操作されない場合には、液晶パネル２０の左右の各画面の輝度を入れ替えることなく、Ｓ１１０へ進む。
【００５３】
Ｓ１１０では、画面内の任意の位置がタッチ操作されたか否かを判定する（Ｓ１１０）。
【００５４】
ここで、画面内の任意の位置がタッチ操作されると、Ｓ１１０の判定はＹＥＳとなり、次に、明るさ設定テーブルを表示させる（Ｓ１１２）。
【００５５】
図６（ｂ）に、明るさを設定するための明るさ設定テーブルの表示例を示す。この図には、左右の画面に各画面の明るさを調整するための明るさ設定テーブルＳ２が表示されている。ユーザは、この明るさ設定テーブルＳ２の表示部をタッチ操作することにより、液晶パネル２０の左右の各画面の明るさを調整することが可能となっている。例えば、画面を最も明るくしたい場合には明るさ設定テーブルＳ２の右端をタッチ操作し、画面を最も暗くしたい場合には明るさ設定テーブルＳ２の左端をタッチ操作し、画面を中間の明るさにしたい場合には明るさ設定テーブルＳ２の中間の部位をタッチ操作して、液晶パネル２０を好みの明るさに調整できるようになっている。
【００５６】
Ｓ１１４では、ユーザが明るさ設定テーブルＳ２を操作したか否かの判定を行う。
【００５７】
ユーザにより明るさ設定テーブルＳ２が操作されると、Ｓ１１４の判定はＹＥＳとなり、次に、操作された画面の輝度を調整する（Ｓ１１６）。具体的には、明るさ設定テーブルＳ２のタッチ操作された位置に対応する輝度となるように、ＬＥＤドライバ６０またはＬＥＤドライバ７０にＰＷＭ制御を指示する信号を出力し、Ｓ１１８へ進む。
【００５８】
なお、明るさ設定テーブルＳ２に対する操作がない場合、Ｓ１１４の判定はＮＯとなり、画面の輝度調整を行うこと無く、Ｓ１１８へ進む。
【００５９】
Ｓ１１８では、２画面表示から１画面表示への切り替え指示の有無を判定する。具体的には、ナビゲーション装置の制御部から入力される信号に基づいて２画面表示から１画面表示への切り替え指示があるか否かを判定する。
【００６０】
１画面表示への切り替え指示がない場合、Ｓ１１８の判定はＮＯとなり、Ｓ１１８の判定を繰り返す。
【００６１】
また、ナビゲーション装置の制御部から１画面表示への切り替え指示が入力されると、Ｓ１１８の判定はＹＥＳとなり、次に、ＬＥＤドライバ６０、７０、８０にＰＷＭ制御を指示する（Ｓ１２０）。具体的には、液晶パネル２０の左側半分を照明するＬＥＤ４０ａと右側半分を照明するＬＥＤ４０ｂに、それぞれ電流が等しく流れるようにＬＥＤドライバ６０、７０をＰＷＭ制御するように指示し、本処理を終了する。
【００６２】
また、図６（ａ）のように、明暗切り替えスイッチＳ１が表示された状態で、画面内の任意の位置がタッチ操作されない場合、Ｓ１１０の判定はＮＯとなり、明るさ設定テーブルＳ２の表示等を実施することなく、Ｓ１１８へ進む。
【００６３】
上記した構成によれば、複数のＬＥＤ４０ａ、４０ｂのうち、分割される各画面の境界部Ｂの両側の各境界部Ｂの最も近くに位置するＬＥＤ４０ｂは、他の部位に配置された各ＬＥＤ４０ａよりも指向性が狭くなっているので、液晶パネル２０を分割して複数の画面を表示する場合、境界部Ｂの両側に位置するＬＥＤ４０ｂの照射光が境界部Ｂを超えて別の画面側へ入り込む量が減少し、境界部Ｂのぼやけが低減され、視認性の向上を図ることができる。
【００６４】
また、境界部Ｂの両側の各境界部Ｂの最も近くに形成されたＶ溝パターン３０ｂのピッチは、他の部位に形成されたＶ溝パターン３０ａのピッチよりも狭くなっているので、境界部の両側の各境界部の最も近くに位置するＬＥＤ４０ｂの照明光は、他の部位に配置された各ＬＥＤ４０ａの照明光と比較して導光板３０内を直線的に進行する。したがって、液晶パネル２０を分割して複数の画面を表示する場合、更に、境界部Ｂの両側の各境界部Ｂの最も近くに位置するＬＥＤ４０ｂの照射光が境界部Ｂを超えて別の画面側へ入り込む量が減少し、より境界部Ｂのぼやけが低減され、より視認性の向上を図ることができる。
【００６５】
また、境界部Ｂに位置するガイド４２ｂの突出長は、他の部位のガイド４２ａよりも長くなっているので、境界部Ｂの両側の各境界部Ｂの最も近くに位置するＬＥＤ４０ｂの照明光は、他の部位に配置された各ＬＥＤ４０ａの照明光と比較して導光板３０内を直線的に進行する。したがって、液晶パネル２０を分割して複数の画面を表示する場合、更に、境界部Ｂの両側の各境界部Ｂの最も近くに位置するＬＥＤ４０ｂの照射光が境界部Ｂを超えて別の画面側へ入り込む量が減少し、より境界部Ｂのぼやけが低減され、より視認性の向上を図ることができる。
【００６６】
また、複数のＬＥＤ４０ａ、４０ｂのうち、境界部Ｂの両側の各境界部Ｂの最も近くに位置するＬＥＤ４０ｂの輝度と、他の部位に配置された各ＬＥＤ４０ａの輝度が異なるように、境界部Ｂの両側の各境界部Ｂの最も近くに位置するＬＥＤ４０ｂと他の部位に配置された各ＬＥＤ４０ａに流れる各電流が別々に制御されるので、境界部Ｂの両側の各境界部Ｂの最も近くに位置するＬＥＤ４０ｂに流れる電流を適切な値に制御することにより、境界部Ｂのぼやけを低減し、より視認性の向上を図ることが可能である。
【００６７】
また、分割される各画面の輝度が異なるように各ＬＥＤ４０ａに流れる電流を制御して、分割される各画面の輝度を異ならせることができる。
【００６８】
なお、本発明は上記実施形態に限定されるものではなく、本発明の趣旨に基づいて種々なる形態で実施することができる。
【００６９】
例えば、上記実施形態では、ナビゲーション装置より入力される映像信号に応じて各種映像を表示する液晶表示装置の例を示したが、このような用途に限定されるものではない。
【００７０】
また、上記実施形態では、複数のＬＥＤ４０ａ、４０ｂのうち、分割される各画面の境界部Ｂの両側の各境界部Ｂの最も近くに位置するＬＥＤ４０ｂの指向性を、他の部位に配置された各ＬＥＤ４０ａよりも狭くすることにより、液晶パネルを分割して複数の画面を表示する際の視認性の向上を図る例を示したが、境界部Ｂの両側の各境界部Ｂの最も近くに形成されたＶ溝パターン３０ｂのピッチを、他の部位に形成されたＶ溝パターン３０ａよりも狭くすることにより、液晶パネルを分割して複数の画面を表示する際の視認性の向上を図るようにしてもよい。
【００７１】
同様に、境界部Ｂに位置するガイド４２ｂの突出長を、他の部位のガイド４２ａよりも長くすることにより、液晶パネルを分割して複数の画面を表示する際の視認性の向上を図るようにしてもよい。
【００７２】
また、上記実施形態では、液晶パネル２０を左右の２画面に分割して表示する例を示したが、このような例に限定されるものではなく、例えば、左右方向の３画面、左右方向の４画面、上下方向の２画面、上下方向の３画面、といったように複数の画面を分割して表示するようにしてもよい。
【００７３】
また、上記実施形態では、導光板３０の一端３０ａに、断面がＶ字形状のＶ溝パターン３０ａ、３０ｂを形成した例を示したが、溝部の断面形状はＶ字以外であってもよい。
【００７４】
なお、上記実施形態における構成と特許請求の範囲の構成との対応関係について説明すると、ＬＥＤドライバ６０、７０、８０およびＳ１０２が電流制御手段に相当する。
【図面の簡単な説明】
【００７５】
【図１】（ａ）は、本発明の一実施形態に係る液晶表示装置を正面から見た図、（ｂ）は、（ａ）中のＡ−Ａ線に沿った概略断面図である。
【図２】図１（ａ）中のＣ−Ｃ線に沿った概略断面を示す図である。
【図３】導光板の端面を部分的に拡大した概略図である。
【図４】駆動回路の構成を示す図である。
【図５】ＣＰＵの処理を示すフローチャートである。
【図６】（ａ）は、明暗切り替えスイッチＳ１の表示例を示す図、（ｂ）は、明るさ設定テーブルＳ２の表示例を示す図である。
【符号の説明】
【００７６】
１０…ケース、２０…液晶パネル、３０…導光板、４０…バックライト、
４０ａ、４０ｂ…ＬＥＤ、４１…プリント基板、４２ａ、４２ｂ…ガイド、
５０…ＣＰＵ、６０、７０、８０…ＬＥＤドライバ。 
【図１】
0005029300.tif 000002
【図２】
0005029300.tif 000003
【図３】
0005029300.tif 000004
【図４】
0005029300.tif 000005
【図５】
0005029300.tif 000006
【図６】
0005029300.tif 000007